(57)【要約】【課題】石灰等を使用せず簡便にグラウンドに線を引くことができる器具の開発、及びその器具を付属させてスタンドの機能も兼ねるライン引き器の提供、及び直進安定性を高め、直線や円を描きやすくする器具を開発し、その器具を設けたライン引き器の提供、さらに取っ手部の高さを自在に調節できるライン引き器の提供を課題とする。【解決手段】鋭い突起で地面に創痕をつけることによって線を引く器具を考案した。これを通常のライン引き器に取り付け、創痕によって簡便に線が引けるライン引き器を考案した。走行安定器を考案し、接地点を３点にすることによって直進安定性を高めた。さらにメジャー用いて直線を引きやすくする器具と、円を描きやすいようにメジャーの一端をライン引き器に簡単に固定させる器具を考案し、これら三点を一体化して取り付けたライン引き器を考案した。さらに取っ手部の高さを調節できるライン引き器を考案した。【選択図】  図１
2004236882.tif 000002
【特許請求の範囲】
【請求項１】
石灰を用いて線を引くライン引き器本体に、先端に鋭い複数の突起を有して、地面に創痕による線を引くことを可能とし、かつスタンドとしての用をもなす簡易ライン引き器具を設けたことを特徴とするライン引き器。
【請求項２】
細い板状の突起各部に４０〜１４０度の範囲でひねりを加えた形状を特徴とした先端の鋭い突起部で、地面に創痕を付けることによって周囲の地面との判別を容易にして、簡易に線を引くことができる器具。
【請求項３】
石灰を用いて線を引くライン引き器本体に、安定した走行をしやすくするための走行安定器と、市販のメジャーを利用して距離を測りながら直線を引きやすくするためのメジャーガイド、及びメジャーを利用して簡便な操作によって正確な半径でしっかりした円を描くことを可能とするためのメジャーストッパーの三点を一体化させた器具を設けたことを特徴とするライン引き器。
【請求項４】
石灰を用いて線を引くライン引き器の取っ手部に、使用者の身長に応じて高さを自在に調整できる機能を持たせたことを特徴とするライン引き器。
【発明の詳細な説明】
【０００１】
【発明の属する技術分野】本発明は、学校等の運動場等で使用するライン引き器に関するものである。
【０００２】
【従来の技術】学校等の運動場で線を引く場合、通常は手押し式の石灰を用いたライン引き器が使用されている。石灰を用いた場合、学校で例えば１時間だけその線を必要とする場合、終了後は他の活動の邪魔にならぬように引いた線を消す作業を要する。また、厳しい予算事情の学校においては、毎日のように使用する石灰に係る経費の割合が比較的高い。また、児童生徒の安全面に対する配慮から、普通の消石灰は目に入ると危険なので、近年は目に入っても安全な消石灰に代わるスポーツ石灰なる代用品を使用している学校が増えているが，これは消石灰に比べて高価である。よって、ますます学校の予算は厳しい状態に追い込まれている。加えて、スポーツ石灰を入れたり補充したりするという作業の際にはその粉末を吸い込んだり、衣服が汚れたりするという問題がある。これらの課題を解決する手段として、短時間のみ必要とされる簡易な線の場合、近年、石灰の代用として水を使用したライン引き器も登場している。
【０００３】また、直線を引きやすくしたり、円を描きやすくしたりするための工夫が施されているライン引き器は、まだ提供されていない。
【０００４】同様に、使用者の身長に応じて取っ手部の高さを調節できる機能を備えたライン引き器も、まだ提供されていない。
【０００５】
【発明が解決しようとする課題】短時間のみ必要とされる線を引く場合、経済性安全性の面から、石灰の代替として水を使用して簡易な線を引くライン引き器が登場している。確かに水は安全で、経済的にも石灰に勝るものである。しかし、環境問題が重要視されている現在、水とて地球の資源を浪費するものであり、石灰に比較して安価であるといえども経済的には経費がかかる。加えて、水を入れたり補充したりする労力においては、石灰を使用したものと同等である。また、雨天時等で地面が湿っている場合は、周囲の地面と判別不能なために使用できないという決定的な弱点があった。また、冬季にほとんど土面が表れない雪国等においては、石灰も水も雪面での使用ができないという両者共通の欠点がある。
【０００６】従来のライン引きで長さを測りながら直線を引こうとする時、メジャーの両端にペグ等を用い又は人の手によって固定し、そのメジャーの上をライン引き器で走行させて白線を引く、という方法が一般的である。その際に、メジャーに石灰が降りかかって汚たり、凹凸面のあるグラウンドでは、二輪のライン引き器では、二輪であるが為，左右にぶれが生じやすく、安定走行が困難であり、直線を引くためには細心の注意と熟練した技術が求められる。
【０００７】また、正確な寸法の円を描く場合は、メジャーの一端を円の中心部にペグ等で固定し、もう一端をライン引き器に結び付けるなどしておおよその半径の円を描く、というような方法が用いられている。
【０００８】また、従来のライン引き器は取っ手の高さが一般に低く、大人の教員等にとっては、腰を曲げた不自然な姿勢を強いられ、長い線を引く際には腰部に大きな負担がかかるものである。
【０００９】
【課題を解決するための手段】上記（０００５）の課題を解決するため、本発明（請求項１）は石灰を用いて線を引くライン引き器本体後部に、先端に鋭い複数の突起を有して、地面に創痕による線を引くことを可能とし、かつスタンドとしの機能を持つ器具を設けたことを特徴とするライン引き器を提供する。
【００１０】以上（０００９）の手段によって、短時間の使用目的で簡易な線で済む場合には、付属した簡易ライン引き器具を使用することによって、資源を一切必要とせず、従って経済性においてこれに勝るもののない線を、土面の状態を問わず、雪面にも簡便に引くことを可能とするものである。もちろん、運動会等長時間しっかりした線を残す必要がある場合には、付属させた従来型のライン引き器本体の使用により、石灰を用いた線を引くことが可能である。
【００１１】本発明（請求項２）は、細い板状の突起各部に４０〜１４０度のひねりを加えた形状を特徴とした先端の鋭い突起部で、地面に創痕を付けることによって周囲の地面との判別を容易にして、簡易に線を引くことができる器具を提供する。
【００１２】以上（００１１）の手段によって、地面に創痕を付ける突起部の地面から受ける抵抗を極力減じ、長期にわたる使用から生ずる摩耗を極力少なく押さえ、耐久性を高めることができる。
【００１３】本発明（請求項３）は、（０００６）及び（０００７）の課題を解決するため、石灰を用いて線を引くライン引き器本体に、安定した走行を保つ機能をもたせるための走行安定器と、市販のメジャーを利用して距離を測りながら直線を引きやすくするためのメジャーガイドと、メジャーを利用して簡便な操作で正確な半径でしっかりした円を描くことを可能とするためのメジャーストッパーを一体化させた器具を設けたことを特徴とするライン引き器を提供する。
【００１４】以上（００１３）の手段によって、二輪の弱点である不安定な走行を３点で地面に接地させることによって安定走行性を高め、メジャーを用いて距離を確認しながら容易に直線を引くことを可能とし、またメジャーをライン引き器にワンタッチで装着して、正確な半径の円を簡便に描くことを可能とすることができる。
【００１５】本発明（請求項４）は、（０００８）の課題を解決するため、石灰を用いて線を引くライン引き器の取っ手部に、使用者の身長に応じて高さを自在に調整できる機能を持たせたことを特徴とするライン引き器を提供する。
【００１６】以上（００１５）の手段によって、使用者の身長に応じて適切な姿勢でライン引きを行うことを可能とし、作業中の腰部への負担を軽減することができる。
【００１７】
【発明の実施の形態】本発明（請求項１）の実施形態は、図１に示すとおり通常のライン引き器を操作する場合とほとんど変わらない。ライン引き器本体の取っ手にかける力の大小に応じて、線を深くはっきりと刻んだり浅くしたりするなど、必要に応じて簡単に引くことが可能である。また、使用しない時はその引っ掻き部が安定したスタンドとなる。なお簡易ライン引き器具の素材については、７〜１０Ｋｇ程度の負荷をかけた際に、かるいたわみをつくる程度の弾力を備えた、例えば薄い鉄板等の素材が適している。また、鉄線を用いて同様の機能を備えた形状を作ることも可能である。
【００１８】本発明（請求項２）の実施形態としては、（請求項１）のように通常のライン引き器本体に付属させて使用する以外に、図３に示すように簡単な支柱やハンドル等を付属させて、単独の簡易ライン引き器として使用することも可能である。児童が休み時間ドッジボールなどをする際に、足で線を引いている光景を目にすることがよくあるが、そうした時、安価で製造可能なこの単体としての簡易ライン引き器はすこぶる便利である。
【００１９】本発明（請求項３）の実施形態としては、直線を引く場合は図４に示すように、メジャーをメジャーガイド▲５▼に通して、走行安定器▲６▼が地面に接地するようにしてライン引き器を押して線を引く。
【００２０】円を描く場合は、図５に示すように半径の長さを合わせたメジャー両面にゴムを張り固定するストッパー▲７▼にメジャーを留めて、通常に円を描くように引けばよい。また、メジャー本体は本体に設けたフックに掛けるようにする。
【００２１】本発明（請求項４）の実施形態は、使用者の身長に合わせて取っ手の部位の高さを、調節ネジ▲３▼で固定して使用すればよい。
【００２２】
【発明の効果】以上、本発明（請求項１及び請求項２）によって、非常に安価で簡易に製作できる簡易ライン引き器を取り付けることによって、いかなる状態の土面でも雪面でも短時間の使用でよい簡易な線であれば、資源を一切使用せず、従って当然のことであるが経済的にこの上ない線をすこぶる簡便に引くことができ、長時間しっかりした線が必要な場合は、本体の石灰を使用した白線を引くことができるという、非常に便利なライン引き器を提供することができる。
【００２３】さらに、本発明（請求項３）によって、安定した走行によって長さを確認しつつ直線を平易に引くことができ、また正確な寸法の円を簡便な操作によって引くことができる。
【００２４】加えて、本発明（請求項４）によって、使用者の身長に適した高さに取っ手部を簡便に調節することができ、使用者の腰部に対する負担を大いに軽減させることができる。
【図面の簡単な説明】
【図１】本発明（請求項１）の一例を示すライン引き器の斜め後方からの見取り図である。
【図２】本発明（請求項２）の簡易ライン引き器具である。
【図３】本発明（請求項２）の簡易ライン引き器具の単体使用例の一つである。
【図４】本発明（請求項３）のメジャーを用いて直線を引く使用例である。
【図５】本発明（請求項３）のメジャーを用いて円を描く使用例である。
【図６】本発明（請求項３）のメジャーガイド、メジャーストッパー、走行安定器の拡大図である。
【符号の説明】
１簡易ライン引き器具
２先端突起部
３取っ手調整ネジ
４取っ手
５メジャーガイド
６走行安定器
７メジャーストッパー
８フック
【図１】
2004236882.tif 000003
【図２】
2004236882.tif 000004
【図３】
2004236882.tif 000005
【図４】
2004236882.tif 000006
【図５】
2004236882.tif 000007
【図６】
2004236882.tif 000008